(57)【要約】【課題】室内の換気用として天井に着脱可能に取り付けられた既設のグリルに対して容易に取り付けることができ、しかも該グリルの目詰まりや汚れを抑制するシート状のフィルターを容易、且つ迅速に交換することのできるフィルター取付具を提供する。【解決手段】室内の空気を吸気する吸気口が形成され、天井に着脱可能に取り付けられた既設のグリルに対し、フィルターを取り付けるフィルター取付具であって、グリルの端縁部に掛止する掛止部材と、掛止部材に連結されたフィルター支持体とを備え、フィルター支持体はフィルターを通気可能に支持するフィルター支持部を有し、掛止部材をグリルに掛止した状態でフィルター支持部とグリルとの間に外部からフィルターを挿入する挿入口を形成し、フィルター支持部が挿入口から挿入したフィルターを吸気口と対向させて支持可能に構成されている。【選択図】          図３
2004321966.tif 000002
【特許請求の範囲】
【請求項１】
室内の空気を吸気する吸気口が形成され、天井に着脱可能に取り付けられた既設のグリルに対し、シート状のフィルターを取り付けるフィルター取付具であって、前記グリルの端縁部に掛止する掛止部材と、該掛止部材に連結されたフィルター支持体とを備え、該フィルター支持体は、フィルターを通気可能に支持するフィルター支持部を有し、しかも掛止部材をグリルに掛止した状態で、前記フィルター支持部とグリルとの間に外部からフィルターを挿入する挿入口を形成するとともに、フィルター支持部が挿入口から挿入したフィルターを吸気口と対向させて支持可能に構成されたことを特徴とするフィルター取付具。
【請求項２】
前記掛止部材及びフィルター支持体は、伸縮可能な連結体を介して連結されてなる請求項１記載のフィルター取付具。
【請求項３】
前記連結体が、引っ張りコイルバネで構成されるとともに、前記フィルター支持体は、フィルター支持部とグリルとの間隔を維持するスペーサー体を更に備えてなる請求項２記載のフィルター取付具。
【請求項４】
前記フィルター支持部が、枠状に形成されてフィルターの周縁部を支持するように構成されてなる請求項１乃至３の何れかに記載のフィルター取付具。
【請求項５】
前記フィルター支持部に対して所定間隔を有して下方側で対向して配設される防汚体を更に備えてなり、該防汚体は、フィルター支持部に支持されたフィルターの下面全面と対向するように形状設定されてなる請求項１乃至４の何れかに記載のフィルター取付具。
【発明の詳細な説明】
【０００１】
【発明の属する技術分野】
本発明は、室内の空気を吸気する吸気口が形成され、天井に取り付けられた既設のグリルに対し、シート状のフィルターを取り付けるフィルター取付具に関する。
【０００２】
【従来の技術】
従来から、吸気ファンで室内の空気を吸気して室内の換気を行う換気装置が周知である。かかる換気装置としては、種々のものがあり、その一つとして、図５に示す如く、天井裏、或いは屋外に設置した吸気ファン（図示しない）と流体的に接続した吸気用の開口１００を天井Ｃに形成し、該開口１００から室内の空気を吸気するようにした天井埋込型の換気装置がある。
【０００３】
かかる天井埋込型の換気装置を採用した場合には、天井Ｃに形成した開口１００を直視できる状態にしておくと、当該開口１００から異物が入り込んで吸気ファンを破損させたり、天井Ｃの美的景観を損なったりする等といった問題があるため、複数のスリット、或いは複数の穴からなる吸気口１０１の形成されたグリル１０２が、前記開口１００を覆うように、天井Ｃの下面側に配されて取り付けられるのが一般的である。
【０００４】
かかるグリル１０２は、吸気口１０１の清掃や、天井Ｃの開口１００近傍（天井裏に設置されて吸気ファン等）のメンテナンス等を行うべく、天井Ｃから取り外すことができるようになっている（例えば、特許文献１参照）。
【０００５】
【特許文献１】
特開２００１―２８０６６１号公報
【０００６】
【発明が解決しようとする課題】
ところで、上記構成のグリル１０２を天井Ｃに取り付けた状態で、室内の換気を日常的に行うと、塵や埃等が空気の流れに乗ってグリル１０２の吸気口１０１に吸い寄せられ、当該塵や埃等がグリル１０２に付着してしまうことがある。
【０００７】
そのため、グリル１０２を天井Ｃから取り外して清掃する必要があるが、グリル１０２が天井Ｃに取り付けられているため、グリル１０２の取り外し作業を高所で行わなければならず、当該作業が煩雑である等といった理由により、グリル１０２の清掃が長期に亘って行われない場合がある。
【０００８】
そうすると、塵や埃等が吸気口１０１近傍に堆積して吸気口１０１を詰まらせる場合がある。このような状態になると、吸気口１０１が複数のスリット、或いは複数の穴で形成されているため、天井Ｃからグリル１０２を取り外しても容易に清掃することができなかった。
【０００９】
特に、台所などの天井Ｃに、グリル１０２に取り付けると、塵や埃以外に油などがグリル１０２に付着し、清掃がより煩雑なものになってしまう。
【００１０】
そこで、本発明  は、斯かる実情に鑑み、室内の換気用として天井に着脱可能に取り付けられた既設のグリルに対して容易に取り付けることができ、しかも該グリルの目詰まりや汚れを抑制するシート状のフィルターを容易、且つ迅速に交換することのできるフィルター取付具を提供することを課題とする。
【００１１】
【課題を解決するための手段】
本発明にかかるフィルター取付具は、請求項１記載の如く、室内の空気を吸気する吸気口が形成され、天井に着脱可能に取り付けられた既設のグリルに対し、シート状のフィルターを取り付けるフィルター取付具であって、前記グリルの端縁部に掛止する掛止部材と、該掛止部材に連結されたフィルター支持体とを備え、該フィルター支持体は、フィルターを通気可能に支持するフィルター支持部を有し、しかも掛止部材をグリルに掛止した状態で、前記フィルター支持部とグリルとの間に外部からフィルターを挿入する挿入口を形成するとともに、フィルター支持部が挿入口から挿入したフィルターを吸気口と対向させて支持可能に構成されたことを特徴とする。
【００１２】
上記構成のフィルター取付具によれば、グリルの端縁部に掛止する掛止部材を備えているので、当該掛止部材をグリルの端縁部に掛止させる（引っ掛ける）だけで既設のグリルに対して容易に取り付けることができる。
【００１３】
また、掛止部材に連結されたフィルター支持体は、掛止部材をグリルに掛止した状態で、前記フィルター支持部とグリルとの間に外部からフィルターを挿入する挿入口を形成するとともに、フィルター支持部が挿入口から挿入したフィルターを吸気口と対向させて支持可能に構成されているので、挿入口を介してフィルターをフィルター支持部とグリルとの間に挿入するだけで、フィルターを取り付けることができる。
【００１４】
このようにフィルター支持部とグリルとの間にフィルターを挿入できるようにすると、フィルター支持部に支持されたフィルターと該フィルターと対向するグリルとの間には隙間が形成されることになるが、グリルから室内の空気を吸引すれば、フィルター支持部で支持されていたフィルターがグリルからの吸引によって吸い上げられてグリルの下面に密着することになる。これにより、グリルの吸気口には、フィルターによって塵や埃等の濾された空気が流れ込むことになる。その一方で、室内の換気（グリルからの吸引）を止めると、フィルターがグリル下面から離間してフィルター支持部に再度支持されることになる。したがって、非換気時においてフィルターとグリルとの間に隙間が形成されていても、換気時においてフィルター機能を発揮させることができる。
【００１５】
そして、日常の換気によってフィルターが汚れた場合、フィルター支持部で支持されていたフィルターを挿入口から引き出すだけで、当該フィルターをグリルから容易に取り外すことができる。したがって、天井に取り付けられたグリルに対してフィルターを容易に交換することができる。
【００１６】
また、請求項２記載の如く、前記掛止部材及びフィルター支持体は、伸縮可能な連結体を介して連結されてなることが好ましい。なお、ここで伸縮可能とは、掛止部材とフィルター支持体との連結距離が可変であることをいう。天井に取り付けられるグリルは、メーカーにより種々サイズのものが市場に提供されている。したがって、連結体を伸縮可能に構成すれば、掛止部材をグリルに掛止して連結体を伸縮させて調整することで、グリルのサイズに関係なく、フィルター支持部によってフィルターがグリルの吸気口に対向した状態（フィルターとグリルとの配置が最適となった状態）で支持される位置にフィルター支持体を配設することができる。すなわち、掛止部材とフィルター支持体とを伸縮可能な連結体を介して連結することで、種々サイズのグリルに対して当該フィルター取付具を取り付けることができる。
【００１７】
さらに、請求項３記載の如く、前記連結体が、引っ張りコイルバネで構成されるとともに、前記フィルター支持体は、フィルター支持部とグリルとの間隔を維持するスペーサー体を更に備えることが好ましい。このようにすれば、掛止部材をグリルの端縁部に掛止させるとともに、フィルターとグリルの吸気口とが対向するようにフィルター支持体を配置した状態で、掛止部材とフィルター支持体との配置に対応して連結体が伸びることになる。この際、連結体（引っ張りコイルバネ）の引っ張り力が作用してフィルター支持体がグリルの下面側に接近しようとするが、スペーサー体の介在によって、グリルの下面とフィルター支持部との間にフィルターを挿入することのできる間隙が形成されることになる。
【００１８】
したがって、使用者が当該フィルター取付具をグリルに取り付けるに際し、連結体を伸縮させて調節することなく、フィルターとグリルとの配置がグリルのサイズに対応して最適となった状態でフィルター支持体を配設することができる。
【００１９】
また、請求項４記載の如く、前記フィルター支持部が、枠状に形成されてフィルターの周縁部を支持するように構成されれば、フィルターにおける通気（空気の流通）を阻害することなく、フィルターを確実に支持することができる。
【００２０】
さらに、請求項５記載の如く、前記フィルター支持部に対して所定間隔を有して下方側で対向して配設される防汚体を更に備えてなり、該防汚体は、フィルター支持部に支持されたフィルターの下面全面と対向するように形状設定されることが好ましい。室内の換気を日常的に行うと、塵や埃がフィルターに付着して堆積し、換気を停止した際に室内に落下する虞があるが、フィルターの全面に対向するように防汚体を設けることで、当該防汚体で塵や埃を受け止めることができ、吸引した塵や埃で室内（床）を汚してしまうのを防止することができる。
【００２１】
また、防汚体の上面とフィルター（フィルターの下面）とが所定間隔を有して対向状態となるため、換気を行った際に室内の空気は、フィルターと防汚体との間を介してフィルターを通過することになる。したがって、防汚体は、整流板の役目をも担うことになり、吸気（換気）による吸い込み音の発生を押さえることができる。
【００２２】
【発明の実施の形態】
以下、本発明の一実施形態にかかるフィルター取付具について、添付図面を参照して説明する。なお、本実施形態にかかるフィルター取付具の説明に先立って、当該フィルター取付具を取り付ける既設のグリルについて図５を参照して概略説明し、該フィルター取付具を用いて前記グリルに取り付けるフィルターについて説明する。
【００２３】
かかるグリル１０２は、天井埋込型の換気装置を採用した場合に、換気口として天井Ｃに形成した矩形状の開口１００を覆うように天井Ｃの下面側に着脱可能に配設されており、天井Ｃの開口１００に対応して平面視略矩形状に形成されている。
【００２４】
かかるグリル１０２は、天井Ｃの開口１００を完全に覆えるように、前記開口１００よりも大きく設定されており、天井Ｃに対する取付状態において前記開口１００に対応する領域には、空気を流通させる吸気口１０１が形成されている。なお、吸気口１０１は、貫通した複数のスリット、或いは、複数の穴から構成されているのが一般的である（図５におけるグリル１０２の吸気口１０１は、複数のスリットにより構成されている）。
【００２５】
また、グリル１０２は、外周縁部が前記吸気口１０１の形成された領域に対して一方の面側に折り曲げ形成されており、上面となる一方の面が凹状（皿状）に形成されている。該グリル１０２は、上面を天井Ｃに下面、及び開口１００に対向させて、天井Ｃに取り付けるようになっており、取付状態において、外周端縁と天井Ｃの下面とやや隙間を形成し、且つ吸気口１０１の形成された領域が天井Ｃの下面より下方側に位置するようになっている。つまり、グリル１０２は、天井Ｃに取り付けた状態で、天井Ｃの下面に対して下方側（室内側）に隆起した態様で取り付けられるようになっている。
【００２６】
上記構成のグリル１０２に取り付けるフィルターは、図１に示す如く、外周縁部に補強部５０を備えている。該補強部５０は、当該フィルターＦの外周縁部を熱溶融して形成されている。つまり、空気流通が可能な内部間隙を潰すようにフィルターＦ自身を加熱することで、フィルターＦの端部を硬化させて当該フィルターＦの折り曲げに対する強度を増すようにしている。したがって、フィルターＦの外周縁部は、図２に示す如く、当該フィルターＦにおける空気を流通させる部分（外周縁部以外の部分）の厚みに比して薄くなっている。なお、補強部５０は、当該フィルターＦを加熱して硬化させてもの以外に、補強材として別途用意した帯状のプレートを適宜貼着して形成したり、枠状のプレートをフィルターＦの外周縁部に貼着して形成したりしてもよい。つまり、フィルター取付具の後述する挿入口２７に挿入するに際し、フィルターＦが容易に曲がらないように補強部５０を形成すればよい。
【００２７】
次に、本実施形態にかかるフィルター取付具について説明する。かかるフィルター取付具は、上記構成のグリルに対し、シート状のフィルターを取り付けるためのものであり、図３及び図４に示す如く、グリル１０２の端縁部に掛止する掛止部材１と、該掛止部材１に連結されたフィルター支持体２とを備えている。なお、図３は、本実施形態にかかるフィルター取付具を既設のグリル１０２に取り付けた状態の断面図を示し、図４は、当該フィルター取付具の各構成を明確にするためのフィルター取付具の分解斜視図を示している。
【００２８】
前記掛止部材１は、グリル１０２の端縁部に掛止する掛止部１０と、該掛止部１０に連設されて前記フィルター支持体２が連結される連結部１１とを備えている。
【００２９】
該掛止部材１は、一端部の両側端に突片の突設された金属板を折り曲げ加工して形成されており、該金属板の他端部をコの字状に折り曲げて前記掛止部１０が形成され、金属板の前記一端部が掛止部１０とは反対側に折り曲げられ、更に両側端部の前記突片を一端側に折り曲げられることにより、前記突片が前記連結部１１として形成されている。なお、本実施形態にかかるフィルター取付具は、上記構成の掛止部材１を一対備えている。
【００３０】
前記フィルター支持体２は、天井Ｃに取り付けられたグリル１０２の端縁部に掛止部材１を掛止した状態で、当該グリル１０２の下面に対して対向し、且つ所定の間隔を有して配されるフィルター支持部２１を備えている。
【００３１】
該フィルター支持部２１は、シート状のフィルターＦをグリル１０２の下面（吸気口）に対向させて支持できるようになっている。
【００３２】
具体的には、フィルター支持部２１は、フィルターＦをグリル１０２の吸気口１０１の形成領域の全領域と対向させた状態で当該フィルターＦの周縁部を支持できるように、帯状の板材を矩形状に枠組形成されたものである。さらに、本実施形態において、フィルター支持部２１は、外周縁部を支持したフィルターＦの中央部近傍を補助的に支持できるように、当該枠状に形成された板材に掛け渡すように帯状の補助支持部２２が設けられている。
【００３３】
さらに、フィルター支持体２は、フィルター支持部２１とグリル１０２の下面との間の間隔を維持するためのスペーサー体であるスペーサー片２３を更に備えている。該スペーサー片２３は、フィルター支持部２１の外郭を形成する四辺の外周縁部のうちの三辺の外周縁部に連設されており、グリル１０２の下面と対向することになるフィルター支持部２１の一方の面側（上方に向けて）に突出している。
【００３４】
該スペーサー片２３は、一端（フィルター支持部２１をグリル１０２の下面に対向させた状態における上端）をグリル１０２の下面に当接させることにより、フィルター支持部２１がグリル１０２の下面に対して対向した状態で、該フィルター支持部２１とグリル１０２の下面との間隔が、フィルターＦの厚みよりも広くなるように寸法設定されている。
【００３５】
これにより、フィルター支持体２は、スペーサー片２３の上端をグリルの下面に当接させた状態で、スペーサー片２３の連設されていないフィルター支持部２１の一端縁とグリル１０２の下面との間にフィルターＦを挿入する挿入口２７が形成され、該挿入口２７（外部）からグリル１０２の下面とフィルター支持体２とで形成した間隙内にフィルターＦを容易に挿入することができる状態となるように構成されている。
【００３６】
上記構成の掛止部材１及びフィルター支持体２は、伸縮自在な連結体３を介して連結されている。該連結体３は、引っ張りコイルバネで構成されており、一端部が前記掛止部材１の連結部１１に穿設された穴１２に掛止され、他端部がフィルター支持部２１を枠状に形成する対向する二対の板材のうち、スペーサー片２３が連設されて対向する一対の板材に連結されている。
【００３７】
具体的には、連結体３の他端部は、リベット２４の軸部を挿通した状態で、フィルター支持部２１（前記一対の板材）に穿設された穴２５に当該リベット２４の軸部を挿通し、該軸部をかしめることで、フィルター支持部２１の下面とリベット２４の頭部とで狭持状態で固着されている。
【００３８】
また、該連結体３（引っ張りコイルバネ）は、掛止部材１をグリル１０２に掛止した状態で、フィルター支持体２をグリル１０２側に引き上げ、スペーサー片２３の上端がグリル１０２の下面に当接させることのできる引っ張り力が作用するようにバネ長、バネ係数等が設定されている。
【００３９】
上記構成のフィルター取付具は、前記フィルター支持部２１の下面に対して所定間隔を有して配設される防汚体４を更に備えている。該防汚体４は、光透過性を有し、且つ表面に凹凸が形成されていない平板状の樹脂製パネルであり、前記フィルター支持部２１の外郭より大きく設定されて矩形状をなしている。なお、本実施形態にかかる防汚体４は、半透明（白濁色）の樹脂パネルによって構成されている。
【００４０】
防汚体４は、フィルター支持部２１の枠内（挿入されたフィルターＦの存在する領域）と対向するように配されており、フィルター支持部２１の下面における四隅に垂設されたスペーサー４１に接続されることで、フィルター支持部２１の下面と所定間隔を有して配されるようになっている。
【００４１】
前記スペーサー４１は、筒状体で構成されており、軸心方向の長さがフィルター支持部２１の下面と防汚体４との間隔に対応して設定されたものである。該スペーサー４１は、フィルター支持部２１の四隅に穿設された穴２６に挿通した皿ネジ４２が一端部に螺合されることで、フィルター支持部２１の下面に対して垂設状態となっている。また、防汚体４は、スペーサー４１の配置に対応して当該防汚体４に穿設された穴４３に挿通されたネジ４４がスペーサー４１の他端に螺合されることで、フィルター支持体２（フィルター支持部２１）に所定間隔を有して配設されている。
【００４２】
上記構成のフィルター取付具を既設のグリル１０２に取り付けるには、グリル１０２を天井Ｃから離間させ（取り外し）、各掛止部材１の掛止部１０をグリル１０２の両端縁部のそれぞれに掛止する。この際、掛止部材１及びフィルター支持体２の配置位置（連結距離）がグリル１０２のサイズに対応するように、連結体３が引っ張り力を作用させながら伸長状態になる。そうすると、連結体３の該引っ張りによってフィルター支持体２がグリル１０２側に引き寄せられ、スペーサー片２３の上端がグリル１０２の下面に当接することにより、前記挿入口２７が形成されることになる。
【００４３】
この状態で、連結体３（掛止部材１）は、挿入口２７へのフィルターの挿入を連結体３によって阻害することなく、フィルター支持体２の両側端（スペーサー片２３の連設された対向する一つの板材）を支持した状態となっている。
【００４４】
そして、グリル１０２を天井Ｃに対する定位置（開口１００を覆うことのできる位置）に取り付けることで、当該フィルター取付具の取り付けが完了する。
【００４５】
そして、挿入口２７から前記フィルターＦをグリル１０２の下面（フィルター支持部２１の上面）に沿わせるように挿入すると、当該フィルターＦがグリル１０２の吸気口１０１の形成領域に対向した状態で、フィルター支持部２１によってフィルターＦが支持され、既設のグリル１０２に対するフィルターＦの取り付けが完了する。
【００４６】
この状態において、フィルターＦの上面とグリル１０２の下面との間には、間隙が形成されることになるが、吸気ファンを駆動して吸引すると、その吸引による吸引力がフィルターＦに作用し、フィルターＦがグリル１０２の下面に密着することになる。そうすると、グリル１０２の吸気口１０１がフィルターＦによって完全に覆われた状態になり、室内の空気がフィルターＦを介して吸引されることになる。この際、フィルターＦと防汚体４との間を介して室内の空気が吸引されることになり、防汚体４が整流板として機能し、空気の吸い込み音の発生が抑制されることになる。
【００４７】
そして、吸引装置による吸引を停止すると、グリル１０２の下面に密接状態であったフィルターＦが、自重によってフィルター支持部２１側に移動し、再度フィルター支持部２１によって支持されることになる。
【００４８】
日常の換気によってフィルターＦが汚れ、当該フィルターＦを新たなものに交換する場合には、汚れたフィルターＦを挿入口２７から引き出し、新たなフィルターＦを挿入口２７から挿入することで、新たなフィルターＦに交換することができる。
【００４９】
また、フィルターＦの交換時期が遅れ、フィルターＦに付着して堆積した塵や埃が落下した場合には、防汚体４によって受け止められることになる。
【００５０】
以上のように、上記実施形態にかかるフィルター取付具は、既設のグリル１０２の端縁部に掛止部材１を掛止するだけで、当該グリル１０２に対して容易且つ迅速に取り付けることができる。
【００５１】
また、フィルター取付具は、フィルターＦを挿入口２７から挿入するだけでフィルターＦを取り付けることができ、また、該取り付けたフィルターＦを挿入口２７から引き出すだけでフィルターＦを取り外すことができるので、天井Ｃのような高所に取り付けられたグリル１０２に対するフィルターＦの交換作業に好適である。
【００５２】
また、台所のような塵や埃等とともに油分が付着してしまう天井Ｃに配設されたグリル１０２に上記構成のフィルター取付具を取り付け、該グリル１０２に対してフィルターＦを取り付ければ、油分に付着によってフィルターＦの性能が短期で低下することになるが、上述の如く、フィルターＦを容易に交換することができるので、フィルターＦの性能を維持することができる。また、油分の付着した汚いフィルターＦを取り外す場合でも、上述の如く容易にフィルターＦを取り外すことができるので、当該作業の億劫さを解消することができる。
【００５３】
さらに、フィルター支持部２１が、枠状に形成されているので、フィルターＦにおける空気の流通を阻害することなく、当該フィルターＦを支持することができる。
【００５４】
また、防汚体４が半透明な樹脂プレートにより形成されているので、室内（下方）から塵や埃が防汚体４上に落下しているのを目視で認識することができ、フィルターＦの交換時期を認識することができる。
【００５５】
また、防汚体４が表面に凹凸のない平板状に形成されているので、当該防汚体４が塵や埃等の付着によって汚れた場合でも、布きれ等でふき取るだけで、防汚体４の清掃を容易に行うことができる。
【００５６】
尚、本発明のフィルター取付具は、上記実施形態に限定されるものではなく、本発明の要旨を逸脱しない範囲内において種々変更を加え得ることは勿論である。
【００５７】
上記実施形態において、引っ張りコイルバネで構成した連結体３で掛止部材１とフィルター支持体２とを連結するようにしたが、これに限定されるものではなく、例えば、連結体を一端部にバックルを備えたベルトで構成し、該ベルトを掛止部材１及びフィルター支持体２に挿通した状態で、ベルトの他端側をバックルに係合させて当該ベルトを環状にし、掛止部材１及びフィルター支持体２を連結するようにしてもよい。このようにすれば、バックルとベルトの他端側との係合位置を変えることで、環状にされたベルトの周長が変わり、掛止部材１０とフィルター支持体２との連結距離を調節することができる。したがって、この場合においては、使用者がベルトとバックルとの係合位置を調節して当該フィルター取付具をグリル１０２に取り付けることになるが、グリル１０２のサイズに関係なく当該フィルター取付具を既設のグリル１０２に取り付けることができる。
【００５８】
また、連結体３を迂曲自在な紐体で構成し、該連結体３で掛止部材１とフィルター支持体２とを連結するようにしてもよい。このようにすれば、掛止部材１をグリル１０２に掛止した状態で、フィルター支持体２をグリル１０２の下面側に引き寄せる力が作用せず、フィルター支持体２がグリル１０２に吊り下げられた態様をなす。したがって、フィルター支持体２のフィルター支持部２１とグリル１０２との間隔を一定にするスペーサー片２３を設けなくても、フィルター支持部２１とグリル１０２との間の間隔を、フィルターＦを挿入することのできる間隔に維持することができる。ただし、この場合において、掛止部材１とフィルター支持体２との連結距離が一定になるので、当該フィルター取付具は、一定サイズのグリル１０２に対して取り付けられるものになる。
【００５９】
また、掛止部材１とフィルター支持体２とを直接連結してもよい。この場合、当該フィルター取付具をグリル１０２に取り付けるに際し、掛止部材１をグリル１０２の外周端縁部に掛止させ易くすべく、掛止部材１をフィルター支持体２に対して可動的（例えば、傾動可能、或いは回転可能）に連結することが好ましい。この場合においても、掛止部材１とフィルター支持体２との連結距離が一定になるので、当該フィルター取付具は、一定サイズのグリル１０２に対して取り付けられるものになる。
【００６０】
上記実施形態において、金属板を折り曲げ加工して掛止部材１を形成したが、これに限定されるものではなく、例えば、掛止部材１を樹脂成形品で構成してもよい。この場合においても、掛止部材１は、グリル１０２に掛止する掛止部１０及びフィルター支持体２、或いは連結体３に連結する連結部１１を備えたものにすることは勿論のことである。
【００６１】
また、掛止部材１の形態は、上記実施形態にかかる形態のものに限定されるものではなく、グリル１０２の外周端縁部に掛止することができ、フィルター支持体２、或いは連結体３に連結できる態様であればよい。
【００６２】
また、上記実施形態において、一対の掛止部材１を設け、フィルター支持体２の両側端を支持するようにしたが、これに限定されるものではなく、例えば、フィルター支持体２の一側端に掛止部材１を固着させ、当該掛止部材１を既設のグリル１０２の掛止した状態で、フィルター支持体２を片持ち支持させるようにしてもよい。ただし、このようにする場合には、グリル１０２の強度、グリル１０２の天井Ｃに対する取付強度等が十分である必要がある。
【００６３】
また、上記実施形態において、フィルター支持体２にフィルターＦを補助的に支持する補助支持部２２を設けたが、これに限定されるものではなく、枠状に形成したフィルター支持部２１のみでフィルターＦを支持するようにしてもよい。
【００６４】
また、上記実施形態において、フィルター支持部２１は、フィルターＦの外周縁部を支持すべく枠状に形成されたが、これに限定されるものではなく、フィルター支持部２１は、フィルターＦを通気可能な状態で支持することができる態様であればよく、例えば、短冊状のプレートをＨ状に組み合わせた構成等を採用することができる。
【００６５】
上記実施形態において、防汚体４を設けたが、これに限定されるものではなく、防汚体４は、必要に応じて設ければよい。ただし、フィルターＦに付着した塵や埃等の室内（床）への落下防止、空気の吸い込み音の発生を抑制するには、防汚体４を設けることが好ましい。
【００６６】
また、上記実施形態において、防汚体４、及び該防汚体４をフィルター支持体２に連結するスペーサー４１等を別体で構成したが、これに限定されるものではなく、防汚体４及びスペーサー４１を樹脂等で一体成形してもよい。
【００６７】
【発明の効果】
以上のように、本発明にかかるフィルター取付具は、室内の空気を吸気する吸気口が形成され、天井に着脱可能に取り付けられた既設のグリルに対し、シート状のフィルターを取り付けるフィルター取付具であって、前記グリルの端縁部に掛止する掛止部材と、該掛止部材に連結されたフィルター支持体とを備え、該フィルター支持体は、フィルターを通気可能に支持するフィルター支持部を有し、しかも掛止部材をグリルに掛止した状態で、前記フィルター支持部とグリルとの間に外部からフィルターを挿入する挿入口を形成するとともに、フィルター支持部が挿入口から挿入したフィルターを吸気口と対向させて支持可能に構成されているので、室内の換気用として天井に着脱可能に取り付けられた既設のグリルに対して容易に取り付けることができ、しかも該グリルの目詰まりや汚れを抑制するシート状のフィルターを容易、且つ迅速に交換することができる。
【図面の簡単な説明】
【図１】本発明の一実施形態にかかるフィルター取付具に用いるフィルターの全体斜視図を示す。
【図２】図１におけるＸ−Ｘ断面図を示す。
【図３】同実施形態にかかるフィルター取付具及びフィルターを既設のグリルに取り付けた状態の断面図を示す。
【図４】同実施形態にかかるフィルター取付具の分解斜視図を示す。
【図５】室内の天井に取り付けられたグリルの斜視図を示す。
【符号の説明】
１…掛止部材、２…フィルター支持体、３…連結体、４…防汚体、１０…掛止部、１１…連結部、１２…穴、２１…フィルター支持部、２２…補助支持部、２３…スペーサー片（スペーサー体）２４…リベット、２５，２６…穴、２７…挿入口、４１…スペーサー、４２…皿ネジ、４３…穴、４４…ネジ、５０…補強部、１００…開口、１０１…吸気口、１０２…グリル、Ｃ…天井、Ｆ…フィルター
【図１】
2004321966.tif 000003
【図２】
2004321966.tif 000004
【図３】
2004321966.tif 000005
【図４】
2004321966.tif 000006
【図５】
2004321966.tif 000007